(57)【要約】【課題】高所にある浴室暖房乾燥機のフィルターの着脱を容易にすることができることを目的とする。【解決手段】フィルター４に連結しフィルター４を取り外すための取り外し部５を備え、フィルター４と取り外し部５に係合部６を設け、フィルター４の取っ手部７に孔９を設けたという構成にしたことにより、取り外し部５に設けた係合部６をフィルター４の取っ手部７に設けた孔９に挿入することとなり、高所にある浴室暖房乾燥機のフィルター４の着脱を容易にすることができる浴室暖房乾燥機を得られる。【選択図】図１
2015206532.tif 000002
【特許請求の範囲】
【請求項１】
本体に、浴室内に空気を送風する送風手段および送風風路と、空気を加熱する空気加熱手段と、前記浴室内の空気を本体に吸い込む吸込口を形成するフロントパネルと、前記フロントパネルに係合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フィルターに連結し前記フィルターを取り外すための取り外し部を備え、前記フィルターと前記取り外し部に係合部を設け、前記フィルターの取っ手部に孔を設けたことを特長とする浴室暖房乾燥機。
【請求項２】
係合部を、先端をＲ形状とし、後端を突起部としたことを特徴とする請求項１に記載の浴室暖房乾燥機。
【請求項３】
孔の両端にサイドガイド部を設けたことを特徴とする請求項１に記載の浴室暖房乾燥機。
【請求項４】
サイドガイド部の形状を、孔の端部から下方に向かって外側へ傾斜させたことを特徴とする請求項３に記載の浴室暖房乾燥機。
【発明の詳細な説明】
【技術分野】
【０００１】
本発明は、浴室の天井に設置する浴室暖房乾燥機のフィルターに関するものである。
【背景技術】
【０００２】
従来、この種の浴室暖房乾燥機は、フロントパネルに取りついているフィルターの取っ手を手で引き抜くものが知られている（例えば、特許文献１参照）。
【０００３】
以下、その浴室暖房乾燥機について図５を参照しながら説明する。
【０００４】
図５に示すように、フロントパネル１０１は吸い込み口１０２と吹出し口（図示せず）とからなり、前記吸い込み口１０２の内側に吸い込み口１０２の全体を覆うようなフィルター１０３を備え、前記フィルター１０３は取っ手部１０４を有し、前記フィルター１０３は前記取っ手部１０４に指をかけて前記フロントパネル１０１から横方向に引き出すような構成としている。
【先行技術文献】
【特許文献】
【０００５】
【特許文献１】特開２００４−１５０７１７号公報
【発明の概要】
【発明が解決しようとする課題】
【０００６】
このような従来の浴室暖房乾燥機においては、浴室天井面に設置される浴室暖房乾燥機のフィルターをフロントパネルから着脱する際に高所にあると共に係合強度が強固により着脱が困難な場合がある。また、高所ということもあり、身長の低いお年寄りなどでは手を伸ばしても届かず、脚立や浴槽のフランジ部に乗って取り外す必要があり、入浴直後などのぬれた状態では滑って転倒をしてしまう恐れがある課題を有していた。
【０００７】
そこで本発明は、上記従来の課題を解決するものであり、高所にある浴室暖房乾燥機のフィルターの着脱を容易にすることができる浴室暖房乾燥機を提供することを目的とする。
【課題を解決するための手段】
【０００８】
そして、この目的を達成するために、本発明は、本体に、浴室内に空気を送風する送風手段および送風風路と、空気を加熱する空気加熱手段と、前記浴室内の空気を本体に吸い込む吸込口を形成するフロントパネルと、前記フロントパネルに係合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フィルターに連結し前記フィルターを取り外すための取り外し部を備え、前記フィルターと前記取り外し部に係合部を設け、前記フィルターの取っ手部に孔を設けたこととしたものであり、これにより所期の目的を達成するものである。
【発明の効果】
【０００９】
本発明によれば、本体に、浴室内に空気を送風する送風手段および送風風路と、空気を加熱する空気加熱手段と、前記浴室内の空気を本体に吸い込む吸込口を形成するフロントパネルと、前記フロントパネルに係合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フィルターに連結し前記フィルターを取り外すための取り外し部を備え、前記フィルターと前記取り外し部に係合部を設け、前記フィルターの取っ手部に孔を設けた、という構成にしたことにより、取り外し部に設けた係合部をフィルターの取っ手部に設けた孔に挿入することとなるので、高所にある浴室暖房乾燥機のフィルターの着脱を容易にすることができる、という効果を得ることができる。
【図面の簡単な説明】
【００１０】
【図１】本発明の実施の形態１の浴室暖房乾燥機のフロントパネルと取り外し部を示す斜視図
【図２】同浴室暖房乾燥機の取り外し部を示す斜視図
【図３】同浴室暖房乾燥機のフロントパネルと取り外し部を示す拡大断面図
【図４】同浴室暖房乾燥機のフロントパネルと取り外し部を示す斜視図
【図５】同浴室暖房乾燥機のフィルターを示す斜視図
【図６】従来の浴室暖房乾燥機のフロントパネルを示す断面図
【発明を実施するための形態】
【００１１】
本発明の請求項１記載の浴室暖房乾燥機は、本体に、浴室内に空気を送風する送風手段および送風風路と、空気を加熱する空気加熱手段と、前記浴室内の空気を本体に吸い込む吸込口を形成するフロントパネルと、前記フロントパネルに係合して取り付けられ前記浴室内の空気に含まれる異物を除去するフィルターと、前記浴室内の空気を排気する換気風路と、前記浴室内に空気を吹き出す吹出口と、前記送風手段および前記空気加熱手段の動作を制御する制御手段とを備え、前記フィルターに連結し前記フィルターを取り外すための取り外し部を備え、前記フィルターと前記取り外し部に係合部を設け、前記フィルターの取っ手部に孔を設けた、という構成を有する。これにより、取り外し部に設けた係合部をフィルターの取っ手部に設けた孔に挿入することとなるため高所にある浴室暖房乾燥機のフィルターの着脱を容易にすることができる、という効果を奏する。
【００１２】
また、係合部を、先端をＲ形状とし、後端を突起部とした、という構成にしてもよい。これにより、先端のＲ形状が取って部に接触し仮固定し後端の突起部を孔に挿入しかつ取り外すこととなるので、孔に係合部を容易に脱着することができる、という効果を奏する。
【００１３】
また、孔の両端にサイドガイド部を設けた、という構成にしてもよい。これにより、サイドガイド部に係合部が接触することとなるので、孔に係合部を容易に導くことができる、という効果を奏する。
【００１４】
また、サイドガイド部の形状を、孔の端部から下方に向かって外側へ傾斜させた、という構成にしてもよい。これにより、サイドガイド部の傾斜部に係合部が接触することとなるので、孔に係合部をさらに容易に導くことができる、という効果を奏する。
【００１５】
以下、本発明の実施の形態について図面を参照しながら説明する。
【００１６】
（実施の形態１）
図１に示すように、方形状のフロントパネル１は浴室（図示せず）の浴室の空気を吸い込むための吸い込口２と、浴室の吸い込んだ空気を加熱するために例えば熱容量が大きい温水コイルである加熱手段（図示せず）を設け、前記加熱手段により浴室の吸い込んだ空気を加熱した後に再度前記浴室内に吹出すための吹出し口３を洗い場（図示せず）方向側に備え、前記吸い込口２と前記吹出し口３との間から前記フロントパネル１の内部から取り出す例えば掃除のし易いサラネットのフィルター４を有している。
【００１７】
前記フロントパネル１から前記フィルター４を側方へ引っ張り出して取り外す際は、前記フィルター４に連結する取り外し部５を前記フィルター４に連結して前記取り外し部５を引っ張り、前記フィルター４を取り外す構造である。
【００１８】
そして、図２、及び図３に示すように、前記取り外し部５の先端には係合部６を設けた構成で、前記フィルター４の手前の横一列に例えば道路の側溝のような凹部を有した形状の取っ手部７に前記係合部６の先端のＲ部８が取っ手部７に接触し、前記フィルター４の取っ手部７の先端のＲ部８と対向する取っ手部７の内壁に孔９を設け、孔９に前記取り外し部５の後端に設けた突起部１０が係合し、連結される構造である。
【００１９】
なお、突起部１０の形状は、孔９の形状より少し小さい形状で、丸形状でも四角形状でも良いが、四角形状だと決められた位置にセットできる、すなわち、取り外ししやすい位置に設けることで突起部１０を孔９にセットした場合取り外しし易くすることができる。
【００２０】
そして、前記取り外し部５の後端の突起部１０は前記孔９に入り込んだ構成となるために外れにくく、その状態にて前記取り外し部５を図４に示すように下向きに引き抜くことにとり前記フィルター４が前記フロントパネル１から取り外し部５と同方向に容易に引き抜くことができる。
【００２１】
そして、前記取り外し部５は棒形状で収縮自在にしておくことにより、天井面（図示せず）にとりついている前記フィルター４を、脚立に上ったり、浴槽のフランジに上ったりすることなく、取り外すことができる。
【００２２】
そして、フィルター４を取り外した後にフィルターのついた埃等を清掃し、再度、取り外した時と逆の手順で、前記フィルター４の取っ手部７に前記取り外し部５の先端のＲ部８を接触させ、前記フィルター４の取っ手部７の孔９に、前記取り外し部５の後端の突起部１０を係合させて、前記フロントパネル１に手前側から挿入する。
【００２３】
そして、図４に示すように孔９の奥まで入れ込んだ後に前記取り外し部５を前記吸い込口２の方向に略垂直になるように押して倒せば、前記取り外し部５の先端のＲ部８が取っ手部７の内壁を奥側へ滑り、前記取り外し部５の後端の突起部１０が前記フィルター４の孔９から奥側にずれて外れて、前記取り外し部５が前記フィルター４から連結が外れる。
【００２４】
そして、図５に示すように、フィルター４の取っ手部７の両端にサイドガイド部１１を外側の洗い場に向かって傾斜の角度（具体的には３０度〜６０度）がついた形状にて設けることにより、取り外し部５の先端のＲ部８はフィルター４の取っ手部７に接触しながらサイドガイド部１１に沿って取っ手部７の上面に気にすることなく挿入するので、容易に孔９に突起部１０を係合させることができる。
【産業上の利用可能性】
【００２５】
本発明にかかる浴室暖房乾燥機は、高所にある浴室暖房乾燥機のフィルターの着脱を容易にすることができることを可能とするものであるので、天井カセット型の空気調和機等にも有用である。
【符号の説明】
【００２６】
１    フロントパネル
２    吸い込口
３    吹出し口
４    フィルター
５    取り外し部
６    係合部
７    取っ手部
８    Ｒ部
９    孔
１０  突起部
１１  サイドガイド部
【図１】
2015206532.tif 000003
【図２】
2015206532.tif 000004
【図３】
2015206532.tif 000005
【図４】
2015206532.tif 000006
【図５】
2015206532.tif 000007
【図６】
2015206532.tif 000008